(57)【要約】【課題】  鏡の周囲に棚板等の各種付帯器具を十分な取付持強度で着脱可能に取り付けできて、その清掃性等を高めることができると共に、各種付帯器具の所望位置への取り付けにより、鏡や各種付帯器具の使い勝手を十分に向上させ得る鏡の支持構造を提供する。【解決手段】  鏡が嵌装される鏡支持部と、壁面に固定される壁面固定部と、所定幅の嵌合部及び該嵌合部の幅方向両端部にそれぞれ形成された係止部からなる嵌合凹部とが設けられた長尺状の支持部材を備え、支持部材の鏡支持部に鏡の外周縁を嵌装させて壁面固定部を壁面に固定することにより、鏡を支持部材によって壁面に支持させると共に、支持部材の嵌合凹部に付帯器具に設けた嵌合凸部を嵌合させることにより、該付帯器具を支持部材に着脱可能に取り付けたことを特徴とする。【選択図】  図２
2005124819.tif 000002
【特許請求の範囲】
【請求項１】
鏡が嵌装される鏡支持部と、壁面に固定される壁面固定部と、所定幅の嵌合部及び該嵌合部の幅方向両端部にそれぞれ形成された係止部からなる嵌合手段とが設けられた支持部材を備え、
前記支持部材の鏡支持部に鏡の外周縁を嵌装させて壁面固定部を壁面に固定することにより、鏡を支持部材によって壁面に支持させると共に、前記支持部材の嵌合手段に付帯器具に設けた嵌合手段を嵌合させることにより、該付帯器具を支持部材に着脱可能に取り付けたことを特徴とする鏡の支持構造。
【請求項２】
前記嵌合手段は、長尺状の支持部材の前面にその長手方向の略全域に亘って形成されていることを特徴とする請求項１に記載の鏡の支持構造。
【請求項３】
前記嵌合手段は、嵌合部の幅方向の両端部に設けた溝状の係止部が断面略円弧形状に形成され、その両係止部の深さが異なるように設定されていることを特徴とする請求項１または２に記載の鏡の支持構造。
【請求項４】
前記支持部材は、鏡の寸法と略同一の長さに設定されて、その長手方向の略全域に形成された嵌合手段に１つもしくは複数の付帯器具が着脱可能に取り付けられることを特徴とする請求項１ないし３のいずれかに記載の鏡の支持構造。
【請求項５】
前記支持部材は、壁面の幅と略同一の長さに設定されて、その長手方向の略全域に設けた嵌合手段に複数の付帯器具が取り付けられることを特徴とする請求項１ないし４のいずれかに記載の鏡の支持構造。
【請求項６】
前記支持部材は、中空状の断面異形形状に形成されていることを特徴とする請求項１ないし５のいずれかに記載の鏡の支持構造。
【請求項７】
前記付帯器具は、その後端部に設けた嵌合手段が長手方向の略全域に亘って形成されていることを特徴とする請求項１ないし６のいずれかに記載の鏡の支持構造。
【請求項８】
前記付帯器具は、棚板、背もたれ、握りバー、シャワー用器具、照明器具、音響器具、水栓器具の少なくとも一つであることを特徴とする請求項１ないし７のいずれかに記載の鏡の支持構造。
【発明の詳細な説明】
【技術分野】
【０００１】
本発明は、例えばシステムバスルームの壁面等に取り付けられる鏡の支持構造に関する。
【背景技術】
【０００２】
従来、システムバスルームの場合、カウンター側の壁面に鏡が取り付けられているが、その支持構造としては、例えば特許文献１に開示されている。この鏡の支持構造は、図８に示すように、鏡固定片１０２ａと左右一対の受皿固定片１０２ｂを有する鏡支持金具１０２をビス１０３で壁面１０４に固定することにより、鏡１０１の下端部を鏡支持金具１０２で支持させると共に、受皿１０５の後端部に設けた係止片１０５ａを鏡支持金具１０２の鏡固定片１０２ａと受皿固定片１０２ｂとの間に上方から嵌装することにより、受皿１０５を鏡支持金具１０２（鏡１０１の下端部）に着脱可能に取り付ける。
【０００３】
また、鏡支持金具１０２で支持された鏡１０１の下方の壁面１０４に、カウンター１０６の後端部の垂直な取付部１０６ａをビス１０７で直接固定する。これにより、鏡１０１の下端部や下方に受皿１０５やカウンター１０６が設置され、これらの上にシャンプーや石鹸等の浴室用具が載置されるようになっている。
【特許文献１】特開平７−１０００２２号公報
【発明の開示】
【発明が解決しようとする課題】
【０００４】
しかしながら、この支持構造においては、棚板として機能する受皿１０５が、その後端部に形成した垂直な係止片１０５ａを、鏡支持金具１０２の鏡固定片１０２ａと左右一対の受皿固定片１０２ｂとの間に単に嵌装させて取り付ける構造であるため、受皿１０５に十分な取付強度が得られ難く、該受皿１０５上に載置される浴室用具が限定され易い。特に、受皿１０５の取付強度を高めるために鏡支持金具１０２の高さを高くすることが、鏡１０１の視認性や支持部のデザイン面で困難であることから、十分な取付強度を得ることが現実的に難しい。
【０００５】
その結果、受皿１０５上に載置できない浴室用具を鏡１０１の下方に固定したカウンター１０６上に載置することになるが、このカウンター１０６は浴室の壁面１０４に直接固定されているため、カウンター１０６表面（上面）の清掃性は良好であるものの、飛散したシャンプーや水泡等が付着し易いカウンター１０６裏面の清掃性が極めて劣るという問題点を有している。また、カウンター１０６の取付位置が特定位置に限定されると共に、受皿１０５の取付位置も鏡支持金具１０２の位置に限定され、例えば浴室用具を載置し得る受皿１０５等を所望位置に取り付けたり所望位置に移動させることができず、鏡１０１や受皿１０５等に十分な使い勝手を得ることが難しいという問題点も有している。
【０００６】
本発明は、このような事情に鑑みてなされたもので、その目的は、鏡の周囲に棚板等の各種付帯器具を十分な取付強度で着脱可能に取り付けできて、その清掃性等を高めることができると共に、各種付帯器具の所望位置への取り付けにより、鏡や各種付帯器具の使い勝手を十分に向上させ得る鏡の支持構造を提供することにある。
【課題を解決するための手段】
【０００７】
かかる目的を達成すべく、本発明のうち請求項１に記載の発明は、鏡が嵌装される鏡支持部と、壁面に固定される壁面固定部と、所定幅の嵌合部及び該嵌合部の幅方向両端部にそれぞれ形成された係止部からなる嵌合手段とが設けられた支持部材を備え、前記支持部材の鏡支持部に鏡の外周縁を嵌装させて壁面固定部を壁面に固定することにより、鏡を支持部材によって壁面に支持させると共に、前記支持部材の嵌合手段に付帯器具に設けた嵌合手段を嵌合させることにより、該付帯器具を支持部材に着脱可能に取り付けたことを特徴とする。
【０００８】
そして、前記嵌合手段は、請求項２に記載の発明のように、長尺状の支持部材の前面にその長手方向の略全域に亘って形成されていることが好ましく、また、請求項３に記載の発明のように、嵌合部の幅方向の両端部に設けた溝状の係止部が断面円弧形状に形成され、その両係止部の深さが異なるように設定されていることが好ましい。
【０００９】
また、前記支持部材は、請求項４に記載の発明のように、鏡の寸法と略同一の長さに設定されて、その長手方向の略全域に形成された嵌合手段に１つもしくは複数の付帯器具が着脱可能に取り付けられていたり、請求項５に記載の発明のように、壁面の幅と略同一の長さに設定されて、その長手方向の略全域に設けた嵌合手段に複数の付帯器具が取り付けられることが好ましい。また、前記支持部材は、請求項６に記載の発明のように、中空状の断面異形形状に形成されていることが好ましい。
【００１０】
さらに、前記付帯器具は、請求項７に記載の発明のように、その後端部に設けた嵌合手段が長手方向の略全域に亘って形成されていることが好ましく、また、請求項８に記載の発明のように、棚板、背もたれ、握りバー、シャワー用器具、照明器具、音響器具、水栓器具の少なくとも一つであることが好ましい。
【発明の効果】
【００１１】
本発明の請求項１に記載の発明によれば、支持部材の鏡支持部に鏡の外周縁を嵌装させてその壁面固定部を壁面に固定することにより、鏡が支持部材によって壁面に取り付けられると共に、支持部材の嵌合手段に付帯器具に設けた嵌合手段を嵌合させることにより、付帯器具が支持部材に着脱可能に取り付けられるため、所定幅の嵌合部と一対の係止部からなる支持部材の嵌合手段に付帯器具の嵌合手段を所定強度で着脱可能に嵌合できて、支持部材に対する付帯器具の取付強度を十分に高めつつ清掃性等を向上させることができると共に、所定の付帯器具を支持部材の嵌合手段の所望位置に取り付けることができて、鏡や付帯器具の使い勝手の向上を図ることができる。
【００１２】
また、請求項２に記載の発明によれば、請求項１に記載の発明の効果に加え、嵌合手段が長尺状の支持部材の前面にその長手方向の略全域に亘って形成されているため、支持部材と付帯器具の長尺状の嵌合手段を互いに嵌合させることができて、付帯器具の支持部材に対する取付強度を一層高めることができると共に、支持部材の前面に設けた嵌合手段により付帯器具の前方からの着脱が可能となり、付帯器具等の使い勝手の一層の向上を図ることができる。
【００１３】
また、請求項３に記載の発明によれば、請求項１または２に記載の発明の効果に加え、嵌合手段の嵌合部の両端部に形成される係止部が溝状の断面略円弧形状に形成されると共に、両係止部の深さが異なるように設定されているため、溝状の嵌合手段に付帯器具の突条の嵌合手段を容易に嵌合させることができて、使い勝手のより一層の向上を図ることができると共に、断面略円弧形状で深さの異なる両係止部により、嵌合手段に嵌合された付帯器具の長手方向への移動が容易かつスムーズに行えたり、係止部内への水滴貯まりを抑制して、清掃性等を一層向上させることができる。
【００１４】
また、請求項４に記載の発明によれば、請求項１ないし３に記載の発明の効果に加え、鏡の寸法と略同一の長さに設定された支持部材の長手方向略全域の嵌合手段に、１つもしくは複数の付帯器具が着脱可能に取り付けられるため、鏡と同一長さの支持部材により鏡の外周全域を確実に取り付けできると共に、鏡の寸法に応じて所定の付帯器具を支持部材に取り付けできて、付帯器具のより一層の使い勝手の向上を図ることができる。
【００１５】
また、請求項５に記載の発明によれば、請求項１ないし４に記載の発明の効果に加え、壁面の幅と略同一の長さに設定された支持部材の長手方向略全域の嵌合手段に、複数の付帯器具が取り付けられるため、横長のワイドミラー等を壁面の全幅に亘って支持できると共に、この鏡の支持部材の所定位置に複数の付帯器具を取り付けできて、鏡や付帯器具の使い勝手のより一層の向上を図ることができる。
【００１６】
また、請求項６に記載の発明によれば、請求項１ないし５に記載の発明の効果に加え、支持部材が中空状の断面異形形状に形成されているため、支持部材自体の軽量化が図れて、壁面への負担を軽減させることができると共に、中空内を照明装置等の配線用として使用したり水栓器具等の配管用として使用できて、支持部材の負荷価値等を高めることができる。
【００１７】
また、請求項７に記載の発明によれば、請求項１ないし６に記載の発明の効果に加え、付帯器具の後端部の嵌合手段が長手方向の略全域に亘って形成されているため、付帯器具の支持部材に対する取付強度をより一層高めて、確実な取付状態を容易に得ることができる。
【００１８】
また、請求項８に記載の発明によれば、請求項１ないし７に記載の発明の効果に加え、付帯器具として、棚板、背もたれ、握りバー、シャワー用器具、照明器具、音響器具、水栓器具の少なくとも一つが使用されるため、例えば浴室内に設置される各種付帯器具を支持部材の所望位置に着脱可能に取り付けできて、各種付帯器具のより一層の使い勝手の向上を図ることができる。
【発明を実施するための最良の形態】
【００１９】
以下、本発明を実施するための最良の形態を図面に基づいて詳細に説明する。
図１〜図４は、本発明に係わる鏡の支持構造の一実施形態を示し、図１が該支持構造を採用した浴室の内部斜視図、図２がその鏡支持部分の分解斜視図、図３が棚板の取付部分の断面図、図４が棚板の取付方法の説明図である。
【００２０】
図１において、システムバスルーム等の浴室１は、防水パンと、この防水パンの外周縁上部に配置された浴室壁面としての壁パネル２ａ〜２ｄ（壁パネル２ｄは図示せず）と、この壁パネル２ａ〜２ｄの上部に配置された例えばドーム型の天井パネル３等によって略箱状に形成されている。また、浴室１内には、壁パネル２ａ側の防水パン上に浴槽４が設置され、この浴槽４の側方の防水パンが洗い場５とされると共に、洗い場５の壁パネル２ｂ側にカウンター６が設置されている。
【００２１】
そして、浴槽４の背側となる壁パネル２ｂには、その上部に一対の照明装置７が設置されると共に、壁パネル２ｂの下部には鏡８が支持されている。この鏡８は、その長さが壁パネル２ｂの幅と略同一の横長長方形状のワイドミラーで形成され、その長辺側となる上下端部が上部支持部材９と下部支持部材１０とによって壁パネル２ｂに支持されている。
【００２２】
前記下部支持部材１０は、例えば樹脂、アルミニウム等の金属によって、図２及び図３に示すように、内部に中空部１０ａを有する断面異形形状の長尺状に形成されて、その上部には上方に向けて開口した鏡支持凹部１１（鏡支持部）が長手方向の全域に亘って設けられている。また、下部支持部材１０の前面には、上下方向に所定の幅ｗを有する嵌合溝１２ａと、この嵌合溝１２ａの幅方向の両端部である上下端部に形成された一対の係止溝１２ｂ、１２ｃからなる嵌合凹部１２（嵌合手段）が設けられている。この時、上下の係止溝１２ｂ、１２ｃは、図３に示すように、それぞれ半径ｒの断面円弧形状に形成されると共に、上部の係止溝１２ｂの深さｈ１が深く下部の係止溝１２ｃの深さｈ２が浅くなるように設定（ｈ１＞ｈ２、但しｈ１＜ｒ）されている。
【００２３】
また、下部支持部材１０の嵌合凹部１２の下面側には、所定角度傾斜して前方に所定距離延設された支持面１３が形成されると共に、この支持面１３の下部後方側には下方に所定距離突出されたカウンター３０が取り付けられるカウンター取付部１４が設けられている。さらに、下部支持部材１０の前記鏡支持凹部１１の後壁側は、上方に所定距離延設されることで壁面固定部１５が形成され、この壁面固定部１５には下部支持部材１０の長手方向に沿って所定間隔で複数の固定孔１５ａが穿設されている。なお、鏡８の上端部を支持する前記上部支持部材９は、側面視Ｌ字形状を呈する図示しない鏡支持凹部等を有する一般的な支持部材で形成されている。
【００２４】
そして、鏡８の下端部を支持する下部支持部材１０には、浴室付帯器具としての棚板１６と背もたれ１７が取り付けられている。すなわち、図１に示すように、下部支持部材１０のカウンター６上部に１枚もしくは複数枚（図１では１枚）の棚板１６（浴室付帯器具）が取り付けられ、下部支持部材１０の浴槽４側に背もたれ１７（浴室付帯器具）が取り付けられている。このうち棚板１６は、図２に示すように、例えば樹脂成形によって略板状に形成され、その前部と左右側部の外周部には載置物落下防止用の堰き１６ａが設けられると共に、後部に設けられた取付部１９の後端部には長手方向の全域に亘って嵌合凸部１８（嵌合手段）が設けられている。
【００２５】
この棚板１６の嵌合凸部１８は、前記下部支持部材１０の嵌合凹部１２の嵌合溝１２ａに嵌合する嵌合突条１８ａと、この嵌合突条１８ａの高さ方向の両端部に形成された断面略円弧形状の上下の係止突条１８ｂ、１８ｃとで形成されている。そして、嵌合凸部１８の嵌合突条１８ａの高さは嵌合凹部１２ａの幅ｗと同一に設定され、係止突条１８ｂ、１８ｃの外径は係止溝１２ｂ、１２ｃの内径ｒと同一となるように設定されている。また、棚板１６は、その取付部１９の左右両端部に堰き１６ａより低い排水溝１６ｂが形成されると共に、取付部１９下面に前記支持面１３に当接する所定角度傾斜した当接面１９ａが形成され、さらに、棚面１６の左右幅方向の略中間位置で後方側には、棚板１６を上下に貫通する溝状の排水口１６ｃが形成されている。
【００２６】
なお、図では棚板１６の棚面１６Ａが一つで、中央部分が低くなるように傾斜しているが、平坦な面で形成することもできるし、例えば図３の二点鎖線で示すように、上下方向に複数（図では２段）の棚面１６Ａ、１６Ｂを形成してこれら各棚面１６Ａ、１６Ｂの後端部を取付部１９で連結し、この取付部１９の後端部に嵌合凸部１８を設けて、複数の棚面１６Ａ、１６Ｂを有する棚板１６を構成しても良い。また、棚板１６や背もたれ１７がユーザサイドで着脱できることから、その形状や色を複数種類設定し、ユーザの好みに応じて所定の形状や色を選定できるように構成することもできる。
【００２７】
前記背もたれ１７は、図２に示すように、たとえば樹脂成形によって前後方向に所定の幅と所定の高さを有する盤状に形成され、その前面には入浴者の背中や首部分が自然に接する凹凸形状の背中当接面１７ａが設けられ、後方側に延設された取付部１９の後端部には嵌合凸部１８（嵌合手段）が設けられている。この背もたれ１７の嵌合凸部１８も、その嵌合突条１８ａ及び上下の係止突条１８ｂ、１８ｃが前記棚板１６の嵌合凸部１８の形状と全く同一に形成され、浴槽４の内部幅に対応した長さの全域に亘って設けられている。
【００２８】
そして、このように形成された棚板１６と背もたれ１７は、その後端部の嵌合凸部１８を前記下部支持部材１０の嵌合凹部１２に、図２の矢印イ、ロの如く嵌合させることで、鏡８の下部の所定位置に取り付けられており、この棚板１６や背もたれ１７の下部支持部材１０への取り付けは次のようにして行われる。すなわち、先ず、図４の二点鎖線ａで示すように、棚板１６の前部側が上方に位置するように傾斜させつつ棚板１６の取付部１９を下部支持部材１０の支持面１３上に位置させ、この状態で、棚板１６を図４の矢印ハの如く傾動させて、その嵌合凸部１８の上部の係止突条１８ｂを下部支持部材１０の上部の係止溝１２ｂ内に係合させる。
【００２９】
棚板１６の上部の係止突条１８ｂが下部支持部材１０の上部の係止溝１２ｂに係合すると、嵌合凹部１２の開口部が若干狭く設定されていることから、下部の係止突条１８ｃが嵌合凹部１２の開口端縁（支持面１３の上端縁）に接触した状態となり、この状態で、棚板１６を矢印ハ方向にさらに傾動、すなわち棚板１６を上部の係止突条１８ｂを中心に矢印ハ方向に回動させると、下部支持部材１０の嵌合凹部１２や棚板１６の嵌合凸部１８の変形によって嵌合凸部１８が嵌合凹部１０内に嵌め込まれ、下部の係止突条１８ｃが下部の係止溝１２ｃ内に嵌合係止される。
【００３０】
この時、下部支持部材１０が中空部１０ａを有する断面異形形状に形成されて嵌合凹部１２に所定の弾性が付与されると共に、棚板１６の嵌合凸部１８が樹脂成形等によって所定の弾性を有していることから、これらの少なくとも一方の弾性変形によって、棚板１６の嵌合凸部１８が下部支持部材１０の嵌合凹部１２内に所定の嵌合強度を維持しつつスムーズに嵌合されて取り付けられることになる。なお、棚板１６の下部支持部材１０からの取り外しは、棚板１６を矢印ハ方向と反対方向に若干こじる状態で回動させること等によって行われる。
【００３１】
また、背もたれ１７も棚板１６と全く同様にして、その嵌合凸部１８を下部支持部材１０の嵌合凹部１２に嵌合されることにより、下部支持部材１０の所定位置に取り付けられる。また、棚板１６や背もたれ１７の下部支持部材１０への位置調整は、嵌合凸部１８を嵌合凹部１２の長手方向に沿ってスライド移動させることによって行われる。この時、嵌合凹部１２の係止溝１２ｂ、１２ｃと嵌合凸部１８の係止突条１８ｂ、１８ｃのスライド移動時の摺動面となる周面が円弧形状（断面曲面）に形成されていることから、係止突条１８ｂ、１８ｃが係止溝１２ｂ、１２ｃ内をスムーズに移動することになる。なお、背もたれ１７のように、スライド移動で所定位置に設定した後に移動する必要性のない付帯器具は、例えば下部支持部材１０の嵌合凹部１２に、嵌合凸部１８と同一形状の所定長さのスぺーサ等のストッパ（図示せず）を嵌合させたり、ネジや接着剤等の固着手段で固定状態としても良い。
【００３２】
この浴室１によれば、壁パネル２ｂの幅と略同一の横長の鏡８の上下端部が、壁パネル２ｂにネジ３２（図３参照）で固定された下部支持部材１０や上支持部材９で例えばシーリングされつつ支持されて壁パネル２ｂの下部に取り付けられると共に、下部支持部材１０の前面に設けられた嵌合凹部１２に、浴室付帯器具としての背もたれ１７や棚板１６が、例えばユーザ（入浴者）の好み等に応じて選定されて取り付けられる。そして、入浴者は入浴中に自分の好みに沿った背もたれ１７に背中を持たせかけつつ入浴できて、浴槽４内における快適な入浴が可能になると共に、洗い場５で身体を洗う場合等に、例えば自分の好みの位置に設定した棚板１６上のシャンプーや石鹸等の浴室用具を使用できて、鏡８の下部に設けられる棚板１６等の使い勝手の向上が図れることになる。
【００３３】
このように、上記実施形態の鏡８の支持構造にあっては、鏡８の下端部をその鏡支持凹部１１で支持する下部支持部材１０に、所定幅ｗの嵌合溝１２ａとこの嵌合溝１２ａの上下端部に設けられた一対の嵌合溝１２ｂ、１２ｃとで嵌合凹部１２が形成され、この嵌合凹部１２に棚板１６や背もたれ１７（棚板１６等という）の後端部に設けた嵌合突条１８ａと係止突条１８ｂ、１８ｃからなる嵌合凸部１８が嵌合する構造であるため、所定長さの上下の係止溝１２ｂ、１２ｃと係止突条１８ｂ、１８ｃとが係合する状態となって、棚板１６等の下部支持部材１０に対する所定の取付強度を容易に確保することができる。特に、棚板１６等の嵌合凸部１８がその長手方向の全域に亘って設けられているため、嵌合凸部１８の全体が下部支持部材１０の嵌合凹部１２に嵌合支持されて、その取付強度を十分に高めることができる。
【００３４】
また、下部支持部材１０の嵌合凹部１２と棚板１６等の嵌合凸部１８の嵌合時に、下部支持部材１０の嵌合溝１２ｂ、１２ｃと棚板１６等の係止突条１８ｂ、１８ｃの外周面とが略面接触状態となると共に、下部支持部材１０の支持面１３と棚板１６等の取付部１９の当接面１９ａとが面接触状態となるため、棚板１６等の前端部の下方への傾動が確実に防止されて、棚板１６等の下部支持部材１０に対する取付強度を一層高めることができる。また、嵌合凹部１２の嵌合溝１２ａと嵌合凸部１８の嵌合突条１８ａが所定の幅ｗや高さｈを有するため、これらの嵌合部分で棚板１６等を確実に支持でき、これらにより、例えば比較的重量のある載置物等であっても、棚板１６上に安定して載置すること等が可能となる。
【００３５】
さらに、棚板１６等が下部支持部材１０に対して着脱可能に取り付けられるため、棚板１６を取り外してその裏面側の清掃を行うことができる等、棚板１６等の清掃性を大幅に向上させることができる。また、下部支持部材１０に設けられる上下の係止溝１２ｂ、１２ｃのうち、下部の係止溝１２ｃの深さｈ２を浅くしているため、水滴の係止溝１２ｃ内への貯まりを抑えることができて、水滴貯まりによる棚板１６等の支持部分の汚れ発生が抑制され、清潔な支持構造が得られると共に、清掃性の一層の向上を図ることができる。
【００３６】
また、鏡８を支持する下部支持部材１０が長尺状に形成されてその前面に長手方向に全域に亘って嵌合凹部１２が設けられているため、棚板１６や背もたれ１７等の複数の浴室付帯器具を取り付けできて、下部支持部材１０の負荷価値を高めることができると共に、棚板１６等の横方向への移動が可能となり、使用目的や好みに応じた所望位置に取り付けることができる。また、棚板１６等が下部支持部材１０に対して着脱可能でユーザが簡単に取り付けできるため、１つの棚面１６Ａや複数の棚面１６Ａ、１６Ｂを有する各種形態の棚板１６や複数色の棚板１６等を予めオプション部品として設定することができて、ユーザの好みに合った棚板１６等の取り付けが可能となり、これらにより、鏡８の下部に取り付けられる各種付帯器具の使い勝手の向上を図ることが可能となる。
【００３７】
また、鏡８の下端部を支持する下部支持部材１０が棚板１６等の支持部材を共用するため、浴室１の壁パネル２ｂに取り付けられる部材数を削減することができると共に、その施工の手間を省くことができ、結果として安価な支持構造を得ることが可能となる。また、下部支持部材１０を中空異形形状に形成しているため、嵌合凹部１２に所定の弾性を付与しつつ、鏡支持凹部１１や下部支持部材１０自体に所定の剛性を容易に確保できると共に、部材の軽量化が図れて部材管理や施工を一層容易に行うことができる。
【００３８】
さらにまた、下部支持部材１０の嵌合凹部１２の係止溝１２ｂ、１２ｃの内面及び棚板１６等の嵌合凸部１８の係止突条１８ｂ、１８ｃの外面が円弧形状に形成されると共に、係止溝１２ｂ、１２ｃの深さｈ１、ｈ２が半径ｒ以下に設定されているため、嵌合凸部１８の嵌合凹部１２に対するスライド移動がスムーズに行えて、棚板１６等を所望位置に容易に移動させることができると共に、棚板１６等の嵌合凹部１２に対する着脱を簡単に行うことができる。また、棚板１６等の例えば樹脂成形で形成された嵌合凸部１８を、中空状の下部支持部材１０の嵌合凹部１２に弾性変形を利用して嵌合させることができるため、棚板１６等の下部支持部材１０への取り付けや取り外しを比較的小さな操作力で行うことができ、これらにより、着脱等の操作性に優れた支持構造を得ることが可能となる。
【００３９】
また、下部支持部材１０が壁パネル２ｂの全域に亘って設けられているため、この下部支持部材１０で壁パネル２の剛性を高めることができて、複数枚のパネルを幅方向に接合して形成される壁パネル２ｂに、十分な剛性を簡単に確保することができると共に、長尺状の下部支持部材１０に所定の意匠を付与すること等により、壁パネル２ｂのデザイン性の向上を図ることも可能となる。
【００４０】
図５〜図７は、本発明の鏡の支持構造のそれぞれ他の実施形態を示す断面図もしくは斜視図である。以下、上記実施形態と同一部位には同一符号を付して説明する。先ず、図５に示す支持構造の特徴は、下部支持部材１０に浴室付帯器具としてのシャワーフック２０を着脱可能に取り付けるようにした点にある。すなわち、シャワーヘッド２１を上下方向に支持するヘッド支持部２０ａ後部の取付部１９に当接面１９ａと嵌合凸部１８を一体形成し、嵌合凸部１８を下部支持部材１０の嵌合凹部１２に嵌合させることにより、鏡８の下部で浴槽４と洗い場５の境界部分にシャワーフック２０を位置させる。
【００４１】
そして、下部支持部材１０に取り付けたシャワーフック２０に、シャワーヘッド２１を係止させることにより洗い場５でシャワーを使用することができ、この時、シャワーフック２０の位置を下部支持部材１０の長手方向に沿って移動させることで、所望位置でのシャワーの使用が可能となる。この支持構造においても、下部支持部材１０の前面で長手方向の全域に設けた嵌合凹部１２への嵌合作用でシャワーフック２０を着脱可能に取り付けることができて、上記実施形態と同様の作用効果を得ることができる。なお、この実施形態に適用できる他の浴室付帯器具としては、水平方向に取り付けられる握りバー等が考えられる。
【００４２】
また、図６に示す支持構造の特徴は、鏡８の上部支持部材９を前記下部支持部材１０と同一形状に形成すると共に、上部支持部材９に浴室付帯器具としての照明器具２２を取り付けるようにした点にある。すなわち、前記下部支持部材１０と同一形状に形成された上部支持部材９を、鏡支持凹部１１が下方に向けて開口するように壁パネル２ｂにネジ３２で固定し、この上部支持部材９の前面に設けた嵌合凹部１２に照明器具２２の嵌合凸部１８を着脱可能に嵌合させる。
【００４３】
この時、照明器具２２は、後端部に嵌合凸部１８と当接面１９ａが設けられた取付部１９の前端部下方にカバー装着部２３が一体形成されると共に、取付部１９の下面に電球２４が装着されるソケット２５が取り付けられ、このソケット２５に接続された電線２６が取付部１９に設けられた凹溝１９ｂ内を配線されて、嵌合凸部１８に設けた孔から上部支持部材９の中空部９ａ内に引き出されている。つまり、上部支持部材９の中空部９ａが電線２６の配線用空間として利用される。また、取付部１９のカバー装着部２３には、下方から適宜形状の照明カバー２７がネジ等によって着脱可能に装着され、また、上部支持部材９の上部には、前記カウンター取付部１４に代えて壁パネル２ｂにネジ３２で固定される取付部３１が設けられている。
【００４４】
この支持構造においても、照明器具２２を上部支持部材９の前面で長手方向全域に設けた嵌合凹部１２への嵌合作用で取り付けできて、上記実施形態と同様の作用効果が得られる他に、直上の照明器具２２で鏡８を効果的に照明できると共に、照明器具２２の電線２６が取付部１９の凹溝１９ｂや孔から上部支持部材９の中空部９ａ内に引き出されて、該中空部９ａ内を配線されることから、電線２６が浴室１内に露出することがなく、照明器具２２部分にスッキリとしたデザイン感覚が得られるという作用効果を奏することができる。また、上部支持部材９に支持される照明器具２２を移動可能に設けるようにすれば、浴室照明を所望状態に容易に設定できる。
【００４５】
なお、この実施形態に適用できる他の浴室付帯器具としては、例えば浴室音響再生装置のスピーカ等が上げられ、一対のスピーカを設置する場合は、その設置位置を音響特性が良好に得られる所望位置に設置できることになる。またこの実施形態の変形例として、下部支持部材１０に図１に示す水栓操作部２９等の水栓器具を取り付け、その配管を下部支持部材１０の中空部１０ａを利用して行う構成も考えられる。
【００４６】
さらに、図７に示す支持構造の特徴は、浴室１に配置される鏡８として、カウンター６側の壁パネル２ｂ（もしくはミラーパネル）に取り付けられる例えば縦長ミラーが使用され、この鏡８の下端部を支持する下部支持部材１０に、例えば棚面が一つもしくは複数の棚板１６を着脱可能に取り付けた点にある。すなわち、断面が前記下部支持部材１０と同一形状に形成され、その長さが鏡８の幅に対応した下部支持部材１０を壁パネル２ｂの所定位置に固定すると共に、この下部支持部材１０の嵌合凹部１２に棚板１６の嵌合凸部１８を嵌合させる。
【００４７】
そして、下部支持部材１０の長手方向の端面の中空部１０ａが開口していることから、この開口部分にキャップ２８をそれぞれ装着して中空部１０ａの開口を閉塞する。この支持構造においても、棚板１６を下部支持部材１０の前面に設けた所定長さの嵌合凹部１２に嵌合作用で取り付けできて、上記実施形態と同様の作用効果が得られる他に、ミラーパネル等に取り付けられる鏡８にも容易に適用できるという作用効果が得られる。
【００４８】
なお、本発明は、上記した各実施形態のそれぞれに限定されるものではなく、例えば図３に示す実施形態と図６に示す実施形態とを組み合わせたり、図６に示す実施形態と図７に示す実施形態を組み合わせる等、各実施形態の全部もしくは一部を適宜に組み合わせることもできる。また、上記実施形態における、下部支持部材１０（上部支持部材９）の全体形状や嵌合凹部１２の形状、各種付帯器具の嵌合凸部１８の形状、棚板１６や背もたれ１７の幅や長さ等の形状も一例であって、例えば支持部材側に嵌合凸部を設け、付帯器具側に嵌合凹部を設ける等、本発明の各発明に係わる要旨を逸脱しない範囲において適宜に変更することができる。
【産業上の利用可能性】
【００４９】
本発明は、システムバスルーム等の浴室内に設けられる鏡の他に、洗面化粧台やトイレ、あるいは玄関等に設けられる各種鏡に適用でき、その付帯器具としては棚機能や物品支持機能等を有する各種付帯器具に適用できる。
【図面の簡単な説明】
【００５０】
【図１】本発明に係わる鏡の支持構造を採用した浴室の内部斜視図
【図２】同その鏡支持部分の分解斜視図
【図３】同棚板の取付部分の断面図
【図４】同棚板の取付方法の説明図
【図５】本発明の他の実施形態を示す図３と同様の断面図
【図６】本発明のさらに他の実施形態を示す図３と略同様の断面図
【図７】本発明のさらに他の実施形態を示す斜視図
【図８】従来の鏡の支持構造を示す断面図
【符号の説明】
【００５１】
１・・・・・・・・・浴室
２ａ〜２ｄ・・・・・壁パネル
４・・・・・・・・・浴槽
５・・・・・・・・・洗い場
６・・・・・・・・・カウンター
８・・・・・・・・・鏡
９・・・・・・・・・上部支持部材
９ａ・・・・・・・・中空部
１０・・・・・・・・下部支持部材
１０ａ・・・・・・・中空部
１１・・・・・・・・鏡支持凹部
１２・・・・・・・・嵌合凹部
１２ａ・・・・・・・嵌合溝
１２ｂ、１２ｃ・・・係止溝
１３・・・・・・・・支持面
１４・・・・・・・・カウンター取付部
１５・・・・・・・・壁面固定部
１６・・・・・・・・棚板
１７・・・・・・・・背もたれ
１８・・・・・・・・嵌合凸部
１８ａ・・・・・・・嵌合突条
１８ｂ、１８ｃ・・・係止突条
１９・・・・・・・・取付部
１９ａ・・・・・・・当接面
２０・・・・・・・・シャワーフック
２１・・・・・・・・シャワーヘッド
２２・・・・・・・・照明器具
２８・・・・・・・・キャップ
２９・・・・・・・・水栓操作部
【図１】
2005124819.tif 000003
【図２】
2005124819.tif 000004
【図３】
2005124819.tif 000005
【図４】
2005124819.tif 000006
【図５】
2005124819.tif 000007
【図６】
2005124819.tif 000008
【図７】
2005124819.tif 000009
【図８】
2005124819.tif 000010